(57)【要約】      （修正有）【課題】ＦＰＣ上に接着・載置した電子部品がＦＰＣから剥離・脱落し難い電子部品ユニットを提供することを目的とする。【解決手段】外部と電気的な接続を図る端子１４を有する電子部品１０と、可撓性を有するフィルム２５と金属製のランド部２２を有する回路と金属製のランド部２２の周辺部を被覆するレジスト２６とを積層したＦＰＣ２０とを有し、電子部品１０がＦＰＣ２０上に載置されると共に端子１４とランド部２２とが電気的に接続され、ＦＰＣ２０の電子部品が載置された領域に近接して設けられ、レジスト２６に形成された開口部から第１の金属部２４を露出させ、電子部品１０と第１の金属部２４とを跨設するよう設けられた接着剤よりなる第１の接着部３０を有するので、電子部品１０とＦＰＣ２０間の接着力が従来よりも強く、電子部品１０がＦＰＣ２０から剥離・脱落しに難い電子部品ユニットを提供する。【選択図】図５
2012033698.tif 000002
【特許請求の範囲】
【請求項１】
外部と電気的な接続を図る端子を有する電子部品と、
可撓性を有するフィルムと金属製のランド部を有する回路と少なくとも前記金属製のラン
ド部の周辺部を被覆するレジストとを積層したフレキシブルプリント基板とを有し、
前記電子部品が前記フレキシブルプリント基板上に載置されると共に前記端子と前記ラン
ド部とが電気的に接続されている電子部品ユニットにおいて、
前記フレキシブルプリント基板の前記電子部品が載置された領域に近接して設けられ、
前記レジストに形成された開口部から第１の金属部を露出させ、前記電子部品と前記第１
の金属部とを跨設するよう設けられた接着剤よりなる第１の接着部を有していることを特
徴とする電子部品ユニット。
【請求項２】
前記第１の金属部は前記電子部品とは電気的に接続されないよう配線されていることを特
徴とする請求項１に記載の電子部品ユニット。
【請求項３】
前記第１の金属部は前記回路と同一の層に同一の材料で形成されていることを特徴とする
請求項１または請求項２に記載の電子部品ユニット。
【請求項４】
前記第１の接着部が、前記電子部品の側面部と前記第１の金属部とを跨設するようフィレ
ットを形成していることを特徴とする請求項１ないし請求項３のいずれか一項に記載の電
子部品ユニット。
【請求項５】
前記電子部品が載置された領域に、前記レジストに形成された開口部から前記第１の金属
部と同一の層に同一の材料で形成された第２の金属部を露出させ、前記第２の金属部と前
記電子部品とを接着する前記接着剤からなる第２の接着部を有することを特徴とする請求
項１ないし請求項４のいずれか一項に記載の電子部品ユニット。
【請求項６】
前記第１の金属部と前記第２の金属部とをつなぐ第３の金属部が設けられていることを特
徴とする請求項５に記載の電子部品ユニット。
【請求項７】
前記フレキシブルプリント基板に設けられた前記第1の金属部の色調を、前記接着剤の有
無を判別可能となるよう前記フレキシブルプリント基板の色調および前記第１の接着部の
色調と異なる色調としたことを特徴とする請求項１に記載の電子部品ユニット。
【請求項８】
前記第１の金属部は、前記電子部品と接着した際に、第１の接着部によって全面を覆われ
ることを特徴とする請求項１に記載の電子部品ユニット。
【請求項９】
前記電子部品の外周の一部分に沿って前記第1の金属部を複数設けたことを特徴とする請
求項１または請求項７に記載の電子部品ユニット。
【請求項１０】
前記電子部品は撮像素子を有するカメラモジュールであることを特徴とする請求項９に記
載の電子部品ユニット。
【請求項１１】
前記カメラモジュールは平面視で略矩形状であり、前記カメラモジュールの対向する二辺
に沿って前記第１の金属部を設けたことを特徴とする請求項１０に記載の電子部品ユニッ
ト。
【発明の詳細な説明】
【技術分野】
【０００１】
本発明は、例えば、携帯電話に取り付けられる電子部品ユニットに関し、特に画像撮影に
用いられるカメラモジュールを可撓性のあるフレキシブルプリント基板（Ｆｌｅｘｉｂｌ
ｅ  Ｐｒｉｎｔｅｄ  Ｃｉｒｃｕｉｔｓ以降、ＦＰＣと記す。）に接着した電子部品ユニ
ットに関するものである。
【背景技術】
【０００２】
昨今、携帯電話やポータブルオーディオなどの携帯機器内では、ＦＰＣ上に電子部品を載
置し、接着剤を用いて固定することが多くなっている。ＦＰＣは屈曲させて使用されるこ
とが多く、屈曲部近くに電子部品を載置した場合には、屈曲による影響で接着部が剥離し
、電子部品が脱落する事があることから、電子部品とＦＰＣをしっかりと接着固定する必
要がある。
【０００３】
従来、電子部品をＦＰＣに接着した電子部品ユニットは、例えば、特許文献１に開示され
るレンズや撮像素子を備えたカメラモジュールをＦＰＣに接着した電子部品ユニットが知
られている。特許文献１には、図１２の様に、カメラモジュール１００の底面外周部に接
着剤１１０を塗布し、ＦＰＣ１２０上に載置する技術が記載されている。このようにカメ
ラモジュール１００の底面外周部に接着剤１１０を塗布することによって、ＦＰＣ１２０
表面に接着している。
【先行技術文献】
【特許文献】
【０００４】
【特許文献１】特開２００７−３００４２８号公報
【発明の概要】
【発明が解決しようとする課題】
【０００５】
ＦＰＣはフィルム上に電気的に導通可能な配線を施し、その上にレジストを塗布し固化し
て保護した基板である。またＦＰＣは可撓性があり、引き回しが容易であることから携帯
機器に用いられることが多い。さらに昨今の携帯機器の小型化・薄型化に伴い、ＦＰＣは
これまでよりも複雑な引き回しが行われ、屈曲させて使われることが多くなっている。
【０００６】
特許文献１では、図１２の様に、カメラモジュール１００の底面外周部に接着剤１１０を
塗布し、ＦＰＣ１２０のレジスト層１３０上に接着する構造が記載されている。特許文献
１に記載の技術によるカメラモジュール１００とレジスト層１３０間の接着強度はカメラ
モジュール１００を固定するに十分な接着強度がある。
【０００７】
しかし、昨今は小型化・薄型化が進み、進む前と比較するとレジスト層１３０の塗布面積
が小さくなり、レジスト層１３０とフィルム１４０間の接着力が弱くなったことから、レ
ジスト層１３０がフィルム１４０から剥離しやすくなっており、ＦＰＣ１２０を屈曲させ
た際にレジスト層１３０に亀裂が入ると、カメラモジュール１００を接着したままレジス
ト層１３０が剥離し、脱落することがあった。
【０００８】
本発明は、上述した課題を解決して、載置した電子部品がＦＰＣから剥離・脱落し難い電
子部品ユニットを提供することを目的とする。
【課題を解決するための手段】
【０００９】
本発明は、外部と電気的な接続を図る端子を有する電子部品と、可撓性を有するフィルム
と金属製のランド部を有する回路と少なくとも前記金属製のランド部の周辺部を被覆する
レジストとを積層したＦＰＣとを有し、前記電子部品が前記ＦＰＣ上に載置されると共に
前記端子と前記ランド部とが電気的に接続されている電子部品ユニットにおいて、前記Ｆ
ＰＣの前記電子部品が載置された領域に近接して設けられ、前記レジストに形成された開
口部から第１の金属部を露出させ、前記電子部品と前記第１の金属部とを跨設するよう設
けられた接着剤よりなる第１の接着部を有しているという特徴を有する。
【００１０】
これにより、本発明によれば、前記第１の金属部を前記ＦＰＣに設け、前記第１の金属部
と前記電子部品を接着することで、従来、前記電子部品と前記レジストを接着した場合に
比べて前記電子部品と前記ＦＰＣ間の接着力が増し、従来技術で接着した場合に比べて前
記電子部品が前記ＦＰＣから脱落しにくくなるという効果を奏する。
【００１１】
また、本発明は、前記第１の金属部は前記電子部品とは電気的に接続されないよう配線さ
れているという特徴を有する。これにより、本発明によれば、前記第１の金属部と前記電
子部品を接着することで、外部との電気的な接続に影響を与えることなく接着できるとと
もに、前記電子部品が前記ＦＰＣから脱落しにくくなるという効果を奏する。
【００１２】
また、本発明は、前記第１の金属部は前記回路と同一の層に同一の材料で形成されている
という特徴を有する。これにより、本発明によれば、前記ＦＰＣの積層数を増やすことな
く、前記ランド部の形成と同時に、前記第１の金属部を形成することができ、前記ＦＰＣ
の厚さを従来技術と同等にでき、電子部品ユニットの薄型化に寄与するとともに、前記Ｆ
ＰＣの作成工数を増やさずに作成できるという効果を奏する。
【００１３】
また、本発明は、前記第１の接着部が、前記電子部品の側面部と前記第１の金属部とを跨
設するようフィレットを形成しているという特徴を有する。これにより、本発明によれば
、前記第１の接着部と前記電子部品の接合箇所が前記電子部品の底面だけでなく、側面ま
で広がることから、さらに前記電子部品が前記ＦＰＣから脱落しにくくなるという効果を
奏する。
【００１４】
また、本発明は、前記電子部品が載置された領域に、前記レジストに形成された開口部か
ら前記第１の金属部と同一の層に同一の材料で形成された第２の金属部を露出させ、前記
第２の金属部と前記電子部品とを接着する前記接着剤からなる第２の接着部を有するとい
う特徴を有する。
【００１５】
これにより、本発明によれば、前記第２の金属部を設けることで、前記第１の金属と同様
に接着力強化の効果が得られ、前記電子部品が前記ＦＰＣから脱落しにくくなるという効
果を奏する。さらに、前記ランド部の形成と同時に、前記第２の金属部を形成することが
でき、前記ＦＰＣの厚さを従来技術と同等にでき、電子部品ユニットの薄型化に寄与する
とともに、前記ＦＰＣの作成工数を増やさずに作成できるという効果を奏する。
【００１６】
また、本発明は、前記第１の金属部と前記第２の金属部とをつなぐ第３の金属部が設けら
れているという特徴を有する。これにより、本発明によれば、前記電子部品と前記ＦＰＣ
の接合面積が広がり、前記電子部品と前記ＦＰＣの接着力が強くなり、さらに前記電子部
品が前記ＦＰＣから脱落しにくくなるという効果を奏する。
【００１７】
また、本発明は、前記ＦＰＣに設けられた前記第１の金属部の色調を、前記接着剤の有無
を判別可能となるよう前記ＦＰＣの色調および前記第１の接着部の色調と異なる色調とし
たという特徴を有する。
【００１８】
これにより、本発明によれば、前記接着部への接着剤の塗布忘れや塗布不足などの塗布ミ
スを目視やセンサー等で確認する際に、前記接着剤に覆われていない前記第１の金属部の
色調が違うことで人の目に付きやすく、また、センサーや画像認識による識別等もやり易
くなり、接着剤の塗布ミスによる電子部品の脱落を防止するという効果を奏する。
【００１９】
また、本発明は、前記第１の金属部は、前記電子部品と接着した際に、第１の接着部によ
って全面を覆われるという特徴を有する。これにより、本発明によれば、接着剤の塗布ミ
スの有無の識別がさらに容易になり、接着剤の塗布ミスによる電子部品の脱落を防止する
という効果を奏する。
【００２０】
また、本発明は、前記電子部品の外周の一部分に沿って前記第１の金属部を複数設けたと
いう特徴を有する。これにより、本発明によれば、前記第１の金属部をＦＰＣ上に電子部
品を載置する際の目印とすることで、載置位置精度が向上すると共に、載置位置ズレの有
無確認を容易にするという効果を奏する。
【００２１】
また、本発明は、前記電子部品は撮像素子を有するカメラモジュールであるという特徴を
有する。これにより、本発明によれば、カメラモジュールユニットにおいて、従来技術よ
りも前記カメラモジュールが脱落しにくいという効果を奏する。
【００２２】
また、本発明は、前記カメラモジュールは平面視で略矩形状であり、前記カメラモジュー
ルの対向する二辺に沿って前記第１の金属部を設けたという特徴を有する。これにより、
本発明によれば、前記レジスト上に前記カメラモジュールの全周を接着した場合と同等以
上の接着力が得られるとともに、接着剤塗布作業を簡易化でき、接着剤の使用量を削減で
きるという効果を奏する。
【発明の効果】
【００２３】
本発明の電子部品ユニットは、その少なくとも一部が前記電子部品を臨むよう露出した
第１の金属部を、前記ＦＰＣの前記電子部品が載置された領域に近接して設け、前記電子
部品と前第１の金属部とを跨設するように第１の接着部を設けたことで、従来技術よりも
強い接着力の得られる接着面を確保し、前記電子部品が前記ＦＰＣから脱落しにくくなる
という効果を奏する。
【図面の簡単な説明】
【００２４】
【図１】本発明に係る第１実施形態の電子部品ユニットの構造を示す外観図である。
【図２】本発明に係る第１実施形態のカメラモジュールの構造を示す外観図である。
【図３】本発明に係る第１実施形態のＦＰＣの構造を示す外観図である。
【図４】本発明に係る第１実施形態のＦＰＣの構造を示す構造図である。
【図５】本発明に係る第１実施形態の電子部品ユニットの構造を示す構造図である。
【図６】本発明に係る第１実施形態における接着剤塗布ミスの例を示す外観図である。
【図７】本発明に係る第２実施形態の電子部品ユニットの構造を示す構造図である。
【図８】本発明に係る第２実施形態のＦＰＣの構造を示す外観図である。
【図９】本発明に係る第３実施形態の電子部品ユニットの構造を示す構造図である。
【図１０】本発明に係る第３実施形態のＦＰＣの構造を示す外観図である。
【図１１】第１の金属部、第２の金属部および第３の金属部の配置バリエーション例を示す配置図である。
【図１２】従来例の電子部品ユニットの構造を示す構造図である。
【発明を実施するための形態】
【００２５】
以下において、本発明の実施形態に係る電子部品ユニットを具体的に説明するが、本発明
は下記の実施形態に限定されるものではなく、要旨を逸脱しない範囲で種々変更して実施
することが可能である。
【００２６】
＜第1実施形態＞
以下、本発明の電子部品ユニットを具体化した第1実施形態について図１ないし図６を参
照して説明する。図２（ａ）は、図１と同じ角度で示したカメラモジュール１０の外観図
で、図２（ｂ）はカメラモジュール１０を撮像素子１１側から示した外観図である。
【００２７】
本実施形態の電子部品ユニットは、図１に示すように、カメラモジュール１０とＦＰＣ２
０と第１の接着部３０から構成される。カメラモジュール１０はＦＰＣ２０上に載置され
、カメラモジュール１０とＦＰＣ２０は第１の接着部３０によって接着される。
【００２８】
カメラモジュール１０は、図２に示すように、概して直方体に円筒を重ねた形状に形成さ
れている。
【００２９】
カメラモジュール１０は、光（映像）を電気に変換する撮像素子１１と、光を集めて撮像
素子１１に投影するレンズユニット１２と、レンズユニット１２を保持するホルダ１３を
有する。
【００３０】
撮像素子１１は、詳細は図示しないが、矩形状の薄い絶縁基板の表面側にセンサチップが
設けられ、裏面側にＦＰＣ２０に半田接続される平面状の電極が多数設けられ、接点群１
４を形成している。接点群１４は前記絶縁基板の4辺にそれぞれ平行に一列状に並んで配
列されている。
【００３１】
ホルダ１３は、濃灰色の樹脂材で形成され、概して直方体の上に円筒を重ねた形状に形成
されている。また、ホルダ１３は、内部は空洞で、円筒部上面と直方体部底面を開放させ
て形成され、前記直方体部底面側を撮像素子１１の前記センサチップ側に重ねて固定され
、内部にレンズユニット１２を保持している。
【００３２】
レンズユニット１２は、詳細は図示しないが、樹脂材で形成され、外部の映像を取り入れ
るための２枚のレンズで構成される。
【００３３】
これにより、カメラモジュール１０は、レンズユニット１２から光（映像）を取り込み、
取り込んだ光（映像）の焦点を合せ、撮像素子１１の前記センサチップ上に結像し、光（
映像）を電気に変換し、接点群１４から出力する。
【００３４】
ＦＰＣ２０は、図３および図４に示すように、絶縁体（ポリイミド）をシート状に形成し
たフィルム２５と、一端にカメラモジュール１０と接続するランド部２２を有し、他端に
は外部と接続する外部接続端子２３を有する回路２１と、第１の接着部３０によりカメラ
モジュール１０と接着する第１の金属部２４と、緑色の感光型のレジスト剤から形成され
回路２１と第１の金属部２４とを被覆し保護するレジスト２６とを有する。
【００３５】
回路２１は、金メッキを施され光沢を持った銅箔から形成されている。
【００３６】
第１の金属部２４は、回路２１と同じ金メッキを施され光沢を持った銅箔から形成されて
いる。しかし、回路２１と第１の金属部２４とは電気的に接続はされていない。
【００３７】
回路２１と第１の金属部２４はフィルム２５上の同一面に接着され、その上面をレジスト
２６で被覆され、異物付着等によるショートや悪影響を及ぼすガスなどから保護されてい
る。
【００３８】
カメラモジュール１０を載置する領域２７には、図３のように、カメラモジュール１０の
接点群１４の配置にあわせてレジスト２６の一部が開口し、ランド部２２が露出している
。また、ＦＰＣ２０の端部には、レジスト２６の一部が開口し、外部接続端子２３が露出
している。
【００３９】
また、カメラモジュール１０を載置する領域２７の外周部では、カメラモジュール１０の
外形に沿って、対向する２辺分のレジスト２６が開口し、第１の金属部２４が露出してい
る。
【００４０】
カメラモジュール１０をＦＰＣ２０上に載置する際には、図５のように、接点群１４とラ
ンド部２２が接触し半田付けされ、カメラモジュール１０とＦＰＣ２０は導通する。
【００４１】
第１の接着部３０は、黒色の熱硬化性の接着剤で形成され、図５で示すように、カメラモ
ジュール１０の底面端部と第１の金属部２４とを跨設し、第１の金属部２４の露出面全面
を被覆すると共に、カメラモジュール１０の側面部にフィレット３１を形成し、接着して
いる。
【００４２】
第１の金属部２４と第１の接着部３０との接着力は、レジスト２６とフィルム２５との接
着力より強く、かつ第１の金属部２４とフィルム２５の接着力は、レジスト２６とフィル
ム２５との接着力より強い。
【００４３】
本実施形態によれば、カメラモジュール１０の底面端部および側面部と第１の金属部２４
とを接着することで、カメラモジュール１０の底面端部とレジスト２６とを接着する従来
の接着方法よりも強い接着力が得られ、カメラモジュール１０がＦＰＣ２０から脱落しに
くくなるという効果を奏する。
【００４４】
また、接着箇所をカメラモジュール１０の底面端部全周とレジスト２６ではなく、カメラ
モジュール１０の対向する２辺の底面端部と対向する２辺分の第１の金属部２４としたこ
とで、従来技術と同等以上の接着力を得られると共に、接着剤の使用量を削減できるとい
う効果を奏する。
【００４５】
また、第１の金属部２４はレジスト２６よりもフィルム２５から剥離しにくいため、第１
の金属部２４とフィルム２５の剥離によるカメラモジュール１０の脱落は、レジスト２６
とフィルム２５の剥離によるカメラモジュール１０の脱落よりも発生しにくく  ＦＰＣ２
０の各層の剥離によるカメラモジュール１０の脱落は従来技術よりも発生しにくくなると
いう効果を奏する。
【００４６】
また、第１の金属部２４と回路２１は電気的な接続が無い為、接着作業や接着後に加わる
応力により回路２１を断線させるなどの悪影響を与えずに接着を行なえるという効果を奏
する。
【００４７】
また、回路２１と第１の金属部２４とを同一の層に同一の材料で形成することで、ＦＰＣ
２０の厚さを従来技術と同等にでき、カメラモジュールユニットの薄型化に寄与するとと
もに、ＦＰＣ２０の作成工数を増やさずに作成できるという効果を奏する。
【００４８】
また、第１の金属部２４が金メッキによる光沢のある色調であるのに対し、その周囲にあ
る第１の接着部３０は黒色、レジスト２６は緑色、カメラモジュール１０は濃灰色とし、
第１の金属部２４は第１の接着部３０によって全面を被覆されるとしたことで、図６の様
な第１の金属部２４への接着剤の塗布忘れや塗布不足などの接着剤塗布ミス箇所７０の有
無を確認する際に、接着剤塗布ミス箇所７０は目視やセンサー等での識別が容易になり、
接着剤の塗布ミスによるカメラモジュール１０の脱落を防止するという効果を奏する。
【００４９】
また、第１の接着部３０が第１の金属部２４の全面を被覆するとしたことで、塗布ミスが
有るか無いかの判断をより容易に行なうことができるという効果を奏する。
【００５０】
＜第２実施形態＞
以下、本発明の電子部品ユニットを具体化した第２実施形態について図７および図８を参
照して説明する。なお、第１実施形態と同一構成については、同一符号を付して詳細な説
明は省略する。
【００５１】
本実施形態の電子部品ユニットは、図７および図８に示すように、第１実施形態の電子部
品ユニットにおいて、ＦＰＣ２０に第２の金属部２８と、第２の金属部２８とカメラモジ
ュール１０とを接着する第２の接着部４０を追加した構成である。
【００５２】
第２の金属部２８は第１の金属部２４および回路２１と同一の層に同一の材料で形成され
、カメラモジュール１０を載置する領域２７内に配置されているが、第２の金属部２８、
第１の金属部２４および回路２１は電気的に接続されていない。また、第２の金属部２８
は第１の金属部２４と同様にレジスト２６によって被覆されているが、レジスト２６の一
部は開口し、第２の金属部２８の一部が露出している。
【００５３】
第２の接着部４０は、第１の接着部３０と同じ熱硬化性の接着剤で形成され、カメラモジ
ュール１０の底面部と第２の金属部２８とを接着し、第１の接着部３０と一体化している
。
【００５４】
本実施形態によれば、第２の金属部２８を設けることで、第１の金属部２４と協働しさら
に接着力強化の効果が得られ、カメラモジュール１０がＦＰＣ２０から脱落しにくくなる
という効果を奏する。さらに、回路２１および第１の金属部２４と同時に、第２の金属部
２８を形成することができ、ＦＰＣ２０の厚さを従来技術と同等にでき、電子部品ユニッ
トの薄型化に寄与するとともに、ＦＰＣ２０の作成工数を増やさずに作成できるという効
果を奏する。
【００５５】
＜第３実施形態＞
以下、本発明の電子部品ユニットを具体化した第３実施形態について図９および図１０を
参照して説明する。なお、第２実施形態と同一構成については、同一符号を付して詳細な
説明は省略する。
【００５６】
本実施形態の電子部品ユニットは、図９および図１０に示すように、第２実施形態の電子
部品ユニットにおいて、第３の金属部５０および第３の接着部６０を追加した構成である
。
【００５７】
第３の金属部５０は第１の金属部２４、第２の金属部２８および回路２１と同一の層に同
一の材料で形成され、第１の金属部２４と第２の金属部２８との間に配置され、第１の金
属部２４および第２の金属部２８と一体に形成されている。また、第３の金属部５０はレ
ジスト２６に被覆されているが、レジスト２６の一部が開口し、第３の金属部５０の一部
が露出している。
【００５８】
第３の接着部６０は、第１の接着部３０および第２の接着部４０と同じ熱硬化性の接着剤
で形成され、カメラモジュール１０の底面部と第３の金属部５０を接着し、第１の接着部
３０および第２の接着部４０と一体化して形成される。
【００５９】
本実施形態によれば、第３の金属部５０を設けることで、第１の金属部２４および第２の
金属部２８と協働しさらに接着力強化の効果が得られ、カメラモジュール１０がＦＰＣ２
０から脱落しにくくなるという効果を奏する。さらに、回路２１、第１の金属部２４およ
び第２の金属部２８と同時に第３の金属部５０を形成することができ、ＦＰＣ２０の厚さ
を従来技術と同等にでき、電子部品ユニットの薄型化に寄与するとともに、ＦＰＣ２０の
作成工数を増やさずに作成できるという効果を奏する。
【００６０】
なお、本発明は上記実施形態に限定されるものではなく、例えば次のように変形して実
施することができ、これらの実施形態も本発明の技術的範囲に属する。
（１）上記実施形態では、カメラモジュールをＦＰＣに接着するとしたが、例えば、マイ
クやスイッチや可変抵抗器などの電子部品を接着する場合でも良い。
（２）上記実施形態で、第１の金属部２４が設けられている位置は、カメラモジュール１
０を載置する領域２７の対向する２辺に相当する部分としたが、より強い接着強度が必要
な場合には、それ以上に増やしても良い。
（３）上記実施形態では、図１０のように第１の金属部２４、第２の金属部２８および第
３の金属部５０のそれぞれの長手方向長さを同じとしたが、図１１のようにそれぞれの長
さを違えても良い。
（４）上記実施形態では、第１の接着部３０とカメラモジュール１０との接着範囲をカメ
ラモジュール１０の底面端部としたが、電子部品ユニットの機能を損なわない範囲でカメ
ラモジュール１０の底面部の接着範囲を拡げても良い。
（５）上記実施形態では、第１の金属部２４が金メッキによる光沢のある色調、第１の接
着部３０は黒色、レジスト２６は緑色、カメラモジュール１０は濃灰色としたが、接着剤
塗布ミス箇所７０を目視やセンサー等で容易に識別できる色調の組み合わせであれば、別
の色であっても良く、特に補色関係になっていれば識別しやすい。
その他、本発明は要旨を逸脱しない範囲で種々変更して実施することができる。
【符号の説明】
【００６１】
１０  カメラモジュール
１１  撮像素子
１２  レンズユニット
１３  ホルダ
１４  接点群
２０  ＦＰＣ
２１  回路
２２  ランド部
２３  外部接続端子
２４  第１の金属部
２５  フィルム
２６  レジスト
２７  カメラモジュール１０を載置する領域
２８  第２の金属部
３０  第１の接着部
３１  フィレット
４０  第２の接着部
５０  第３の金属部
６０  第３の接着部
７０  接着剤塗布ミス箇所
１００  カメラモジュール
１１０  接着剤
１２０  ＦＰＣ
１３０  レジスト層
１４０  フィルム
【図１】
2012033698.tif 000003
【図２】
2012033698.tif 000004
【図３】
2012033698.tif 000005
【図４】
2012033698.tif 000006
【図５】
2012033698.tif 000007
【図６】
2012033698.tif 000008
【図７】
2012033698.tif 000009
【図８】
2012033698.tif 000010
【図９】
2012033698.tif 000011
【図１０】
2012033698.tif 000012
【図１１】
2012033698.tif 000013
【図１２】
2012033698.tif 000014